(57)【要約】【課題】非接触ＩＤタグが適正か否かをその場で特定できるようにして、タグの偽造や不正使用及びトラブルを確実に抑制することを目的とする。【解決手段】非接触ＩＤタグ１０の外表面の対角位置にある２ヶ所の角部に発光表示部１１ａ，１１ｂを設ける一方、非接触ＩＤタグ処理装置１の制御部８で、非接触ＩＤタグ１０から送信されアンテナ２を介して受信したＩＤ情報とデータベース５内に予め登録されたＩＤ情報とを照合して受信したＩＤ情報が適正か否かを判定し、適正である場合には適正なＩＤ情報を送信した非接触ＩＤタグ１０の発光表示部１１ａ，１１ｂを発光させる構成である。【選択図】  図１
2004334431.tif 000002
【特許請求の範囲】
【請求項１】
視認可能な発光表示部及び前記発光表示部の点消灯を制御する制御部を有すると共に所定のＩＤ情報を記憶し外部と非接触で通信可能な構成である非接触ＩＤタグと無線通信するための通信手段と、
該通信手段の通信領域内に前記非接触ＩＤタグが載置されたとき当該タグに対して前記ＩＤ情報の送信要求指令を発生し、受信したＩＤ情報の適否を判定し、適正なＩＤ情報を送信した非接触ＩＤタグの前記制御部に対して前記発光表示部の発光制御指令を発生するタグ処理手段と、
を備えたことを特徴とする非接触ＩＤタグ処理装置。
【請求項２】
処理動作開始のトリガーを入力する操作部を備え、前記タグ処理手段は、前記操作部からのトリガー入力によりタグ処理動作を開始する構成である請求項１に記載の非接触ＩＤタグ処理装置。
【請求項３】
前記タグ処理手段のタグ処理結果を表示する表示部を備える構成である請求項１又は２に記載の非接触ＩＤタグ処理装置。
【請求項４】
前記タグ処理手段は、受信したＩＤ情報の適否を判定する毎に、適正なＩＤ情報を送信した非接触ＩＤタグに前記発光制御指令を発生する構成である請求項１〜３のいずれか１つに記載の非接触ＩＤタグ処理装置。
【請求項５】
前記タグ処理手段は、通信領域内に載置された全てのタグについてＩＤ情報の適否を判定した後、適正なＩＤ情報を送信した全ての非接触ＩＤタグに対して一斉に前記発光制御指令を発生する構成である請求項１〜３のいずれか１つに記載の非接触ＩＤタグ処理装置。
【請求項６】
前記通信手段は、少なくとも２つのアンテナを備え、互いに直交する２方向に電磁波を指向させて放射可能な構成である請求項１〜５のいずれか１つに記載の非接触ＩＤタグ処理装置。
【請求項７】
所定のＩＤ情報を記憶しケース内に収納したアンテナを介して外部と無線通信可能な非接触ＩＤタグであって、
前記ケース外表面に形成され少なくともタグを挟んで互いに対面する位置側から同時に視認可能な発光表示部と、前記ケース内に収納され前記アンテナを介して受信される外部からの指令に基づいて前記発光表示部の点消灯を制御する制御部と、前記ケース内に収納されケース平坦面に対して略平行で互いに直交する２方向の磁束成分が前記アンテナを貫くように外部磁束を指向させる磁性体と、ケース平坦面に対して垂直方向の外部磁束を遮蔽するシールド部と、を備えて構成したことを特徴とする非接触ＩＤタグ。
【請求項８】
前記発光表示部を、平板状ケースの対角位置の少なくとも２つの角部に設ける構成である請求項７に記載の非接触ＩＤタグ。
【請求項９】
前記発光表示部を、平板状ケースの対辺部の少なくとも２つの辺部に設ける構成である請求項７に記載の非接触ＩＤタグ。
【請求項１０】
前記発光表示部を、ケース側面周囲に光ファイバを配置して構成した請求項７に記載の非接触ＩＤタグ。
【請求項１１】
前記磁性体を、互いに直交方向に配置して２つ設ける構成とした請求項７〜１０のいずれか１つに記載の非接触ＩＤタグ。
【請求項１２】
前記磁性体を、前記外部磁束の指向方向に対して斜めに配置して１つ設ける構成とした請求項７〜１０のいずれか１つに記載の非接触ＩＤタグ。
【請求項１３】
前記請求項１〜６のいずれか１つに記載の非接触ＩＤタグ処理装置を用いて処理する請求項７〜１２のいずれか１つに記載の非接触ＩＤタグ。
【発明の詳細な説明】
【０００１】
【発明の属する技術分野】
本発明は、非接触ＩＤタグ処理装置に関し、特に、適正なタグと不適切なタグを直ちに特定可能な非接触ＩＤタグ処理装置に関する。また、適正なタグであることがどの方向からも直ちに視認可能な非接触ＩＤタグに関する。
【０００２】
【従来の技術】
遊技場、例えばパチンコ店等では、客が獲得したパチンコ玉を特殊景品に交換するサービスを行っている。このような特殊景品は、景品交換所で特殊景品相当の金銭と交換されて収集され、景品交換所から再び店側に返送される。
【０００３】
かかる特殊景品の景品交換所等における取扱い業務に関しては、従来から偽造、不正換金、或いは、景品個数の数え間違いや換金額計算の間違え等によりトラブル等が発生し易いという問題があった。
【０００４】
このような問題を解消するため、従来、特殊景品として固有のＩＤ情報を記憶させたタグを用いることが提案されている（例えば、特許文献１参照）。
即ち、ケース内にＩＣチップとアンテナを収納したタグを特殊景品として用い、タグのＩＣチップに特殊景品固有の識別番号（ＩＤ）を含む固有情報を記憶させる。そして、景品交換所で特殊景品の受け渡しを行う際に、読取り装置でタグ（特殊景品）内の固有情報を読取る。読取り装置では、読取った固有情報に基づいて、タグの適否判定、景品個数、換金額の特定等の処理を実行し、処理結果を表示装置で表示したりプリンタによりプリントアウトしたりする構成である。
【０００５】
【特許文献１】
特開２００２−３２０７６１号公報
【０００６】
【発明が解決しようとする課題】
しかしながら、上述の構成においては、例えば識別番号の照合処理により偽造タグの存在やタグの不正使用が判明したとしても、どのタグが偽造品や不正品であるかタグ外観から識別することが難しい場合がある。従って、偽造タグ不正タグをその場で直ちに特定できず、客と運営者との間でトラブル等が発生する虞れがあり、上述の問題を解消するには不十分である。
【０００７】
本発明は上記問題点に着目してなされたもので、適正なタグと不適切なタグを直ちに特定することにより、タグの偽造や不正使用及びトラブルを確実に抑制できる非接触ＩＤタグ処理装置を提供することを目的とする。また、適正なタグであることがどの方向からも直ちに視認可能な構造の非接触ＩＤタグを提供することを目的とする。
【０００８】
【課題を解決するための手段】
このため、請求項１の発明における非接触ＩＤタグ処理装置では、視認可能な発光表示部及び前記発光表示部の点消灯を制御する制御部を有すると共に所定のＩＤ情報を記憶し外部と非接触で通信可能な構成である非接触ＩＤタグと無線通信するための通信手段と、該通信手段の通信領域内に前記非接触ＩＤタグが載置されたとき当該タグに対して前記ＩＤ情報の送信要求指令を発生し、受信したＩＤ情報の適否を判定し、適正なＩＤ情報を送信した非接触ＩＤタグの前記制御部に対して前記発光表示部の発光制御指令を発生するタグ処理手段と、を備えて構成した。
【０００９】
かかる構成では、通信手段の通信領域に載置されて非接触ＩＤタグと通信が開始されると、タグ処理手段からＩＤ情報の送信要求指令を発生してタグに送信する。タグ処理手段は、タグから送信されたＩＤ情報を含むデータを受信すると、受信したＩＤ情報が適正か否かを判定し、適正なＩＤ情報であればそのＩＤ情報を送信した非接触ＩＤタグの制御部に対して発光表示部の発光制御指令を発生する。これにより、適正なタグであれば発光表示部が発光するので、適正なタグか否かをその場で直ちに確認できるようになり、タグの偽造や不正使用を抑制できるようになる。
【００１０】
請求項２のように、処理動作開始のトリガーを入力する操作部を備え、前記タグ処理手段は、前記操作部からのトリガー入力によりタグ処理動作を開始する構成とするとよい。
【００１１】
また、請求項３のように、前記タグ処理手段のタグ処理結果を表示する表示部を備える構成とするとよい。
前記タグ処理手段は、請求項４のように、受信したＩＤ情報の適否を判定する毎に、適正なＩＤ情報を送信した非接触ＩＤタグに前記発光制御指令を発生する構成としてもよく、請求項５のように、通信領域内に載置された全てのタグについてＩＤ情報の適否を判定した後、適正なＩＤ情報を送信した全ての非接触ＩＤタグに対して一斉に前記発光制御指令を発生する構成としてもよい。
【００１２】
請求項６のように、前記通信手段は、少なくとも２つのアンテナを備え、互いに直交する２方向に電磁波を指向させて放射可能な構成とするとよい。これにより、タグの載置状態の自由度が向上するようになる。
【００１３】
請求項７の発明は、所定のＩＤ情報を記憶しケース内に収納したアンテナを介して外部と無線通信可能な非接触ＩＤタグであって、前記ケース外表面に形成され少なくともタグを挟んで互いに対面する位置側から同時に視認可能な発光表示部と、前記ケース内に収納され前記アンテナを介して受信される外部からの指令に基づいて前記発光表示部の点消灯を制御する制御部と、前記ケース内に収納されケース平坦面に対して略平行で互いに直交する２方向の磁束成分が前記アンテナを貫くように外部磁束を指向させる磁性体と、ケース平坦面に対して垂直方向の外部磁束を遮蔽するシールド部と、を備えて構成した。
【００１４】
かかる構成では、発光表示部が、ケース外表面の少なくともタグを挟んで互いに対面する位置側から同時に視認可能であり、例えば客と運営者の両方から同時に適正なタグか否かの確認が可能となり、客と運営者との間のトラブルの発生を抑制できるようになる。また、タグの偽造や不正使用が抑制できるようになる。
【００１５】
前記発光表示部を、請求項８のように、平板状ケースの対角位置の少なくとも２つの角部に設ける構成としてもよく、請求項９のように、平板状ケースの対辺部の少なくとも２つの辺部に設ける構成としてもよい。また、請求項１０のように、前記発光表示部を、ケース側面周囲に光ファイバを配置して構成するようにしてもよい。
【００１６】
前記磁性体は、請求項１１のように、互いに直交方向に配置して２つ設ける構成としてもよく、請求項１２のように、前記外部磁束の指向方向に対して斜めに配置して１つ設ける構成としてもよい。
【００１７】
請求項１３のように、本発明の非接触ＩＤタグは、前記請求項１〜６のいずれか１つに記載の非接触ＩＤタグ処理装置を用いて処理するようにするとよい。
【００１８】
【発明の実施の形態】
以下、本発明の実施形態を図面に基づいて説明する。
図１は、本発明に係る非接触ＩＤタグ処理装置の第１実施形態の構成を示すブロック図である。
【００１９】
図１において、本実施形態の非接触ＩＤタグ処理装置１は、アンテナ２と、送受信部３と、メモリ４と、データベース５と、表示部６と、操作部７と、制御部８と、を備えて構成される。
【００２０】
前記アンテナ２は、後述する非接触ＩＤタグ１０（以下、タグ１０とする）との間で電磁波（電磁誘導方式等を含む）を送受信するためのもので、例えば景品交換所等のタグ１０を載置する載置台２１（図５に示す）の内部等に収納する。前記送受信部３は、アンテナ２と制御部８に接続され、制御部８から入力する指令情報をアンテナ２を介してタグ１０側に送信し、アンテナ２で受信したタグ１０からの情報を制御部８に出力する。メモリ４は、受信した全てのＩＤ情報や適正と判定されたタグ１０からの受信データを一時的に記憶するためのものである。データベース５は、タグ１０の適否判断のためのＩＤ情報を記憶させるためのもので、予め登録したタグの全てのＩＤ情報が記憶されている。表示部６は、メモリ４に記憶された適正なタグ１０に関する処理結果を表示するためのものである。操作部７は、非接触ＩＤタグ処理装置１によるタグ１０の処理動作開始のトリガーを与えるためのものであり、例えばスイッチ等で構成する。この場合、スイッチをオンすることにより処理動作開始のトリガーを与え、スイッチをオフすることにより処理動作終了のトリガーを与えるよう構成してもよく、また、スイッチを押すことにより処理動作開始のトリガーだけを与えるよう構成してもよい。制御部８は、非接触ＩＤタグ処理装置１におけるタグ処理動作を制御するもので、タグの適否判定処理や適正なタグに対する発光指令を含む各種指令の発生動作等を制御する。また、メモリ４に対するタグ１０の送信情報の書込みや表示部６に対する適正タグの枚数や換金額等のタグに関する処理結果の表示等を制御する。ここで、前記アンテナ２及び送受信部３で通信手段が構成され、前記制御部８、メモリ４及びデータベース５でタグ処理手段が構成される。
【００２１】
図２に、上述の非接触ＩＤタグ処理装置１で処理する本発明に係る非接触ＩＤタグの第１実施形態の構成を示す。
図２において、本実施形態のタグ１０は、同図（Ａ）に示すように、一面開口のケース１１内に、コイルアンテナ１２、２つの板状の磁性体１３Ａ，１３Ｂ、基板１４に設けたＩＣチップ１５及び２つのＬＥＤ１６，１７を収納し、同図（Ｂ）に示す板状の蓋１８でケース１１の開口部を塞いでケース１１内を密閉すると共に、蓋１８にシールド部としての遮蔽板１９を取付ける構成である。
【００２２】
ケース１１は、樹脂製で平板状に形成され、タグ１０を挟んで互いに対面する位置側から同時に視認可能な位置、例えば対角位置にある２ヶ所の角部に光透過可能な透明又は半透明の樹脂で形成された発光表示部１１ａ、１１ｂが設けられ、ＬＥＤ１６，１７からの光により点灯する。コイルアンテナ１２は、例えば銅線等を巻回した平面状アンテナである。２つの磁性体１３Ａ，１３Ｂは、非接触ＩＤタグ処理装置１との交信時にケース１１の平坦面に対して略平行で互いに直交する２方向（図中の矢印Ｘ、Ｙ方向）に外部磁束がアンテナ１２を貫くようにそれぞれ外部磁束を指向させて導くためのもので、互いに直交しそれぞれ図中破線で示すように一端側がアンテナ１２の下側に位置するように設けられている。タグの制御部としてのＩＣチップ１５は、後述の図５に示すフローチャートのようにタグ１０の動作を制御するもので、非接触ＩＤタグ処理装置１からの指令に基づいて固有のＩＤ情報を含む記憶情報の送信動作及びＬＥＤ１６，１７の点消灯動作等を制御する。ＬＥＤ１６，１７は、ケース１１の発光表示部１１ａ、１１ｂ近傍にそれぞれ配置されている。また、蓋１８は、ケース１１と同一の樹脂で形成された平板であり、図に示すように前記発光表示部１１ａ、１１ｂに対応する角部が透明又は半透明の樹脂形状に合わせて切り欠いた形状である。遮蔽板１９は、ケース１１の平坦面に対して垂直方向の磁束を遮り、複数のタグを一括処理する際にタグ間の動作干渉を防止するためのものである。
【００２３】
かかる構成の非接触ＩＤタグ１０は、非接触ＩＤタグ処理装置１の通信領域内で処理装置１からの電力波を受信すると、磁性体１３Ａ又は１３Ｂで導かれたケース１１平坦面と略平行な磁束がコイルアンテナ１２を貫くことにより、コイルアンテナ１２に起電力が発生する。この起電力を駆動電源として動作する。
【００２４】
次に、本実施形態の非接触ＩＤタグ処理装置１のタグ処理動作について説明する。
図３は、非接触ＩＤタグ処理装置１の動作を示すフローチャートである。
【００２５】
ステップ１（図中Ｓ１で示し、以下同様とする）では、処理開始のトリガーが入力したか否かを判定する。図４に示すように、アンテナ２を内蔵した載置台２１にタグ１０を載置して操作部７を操作すると処理開始のトリガーが入力され、ステップ１の判定がＹＥＳとなり、ステップ２に進む。
【００２６】
ステップ２では、載置されたタグ１０のデータ読取り処理を開始する。即ち、処理開始トリガーの入力によりタグ１０に対するデータ送信要求指令を発生し、タグ１０側に送信する。
【００２７】
ステップ３では、送信要求指令の発生から一定時間ＩＤ情報の受信がないか否かを判定する。一定時間内に受信があれば適否未処理のタグありと判断して判定がＮＯとなりステップ４に進む。
【００２８】
ステップ４では、受信したＩＤ情報が既に記録されているか否かをメモリ４の記録データを参照して判定する。記録されていなければ新たなＩＤ情報と判断して判定がＮＯとなりステップ５に進む。記録されていればステップ２に戻りＩＤ情報を読込む。
【００２９】
ステップ５では、受信したＩＤ情報をデータベース５のＩＤデータと照合してＩＤ情報が適正なＩＤか否かを判定する。データベース５に登録されていれば適正ＩＤと判断してステップ６に進み、登録されていなければ偽造或いは不正なＩＤと判断し、そのＩＤ情報をメモリ４に記憶させステップ６を飛び越えてステップ７に進む。
【００３０】
ステップ６では、ステップ５で適正ＩＤと判断されたタグ１０のＩＤ情報を含む送信データをメモリ４に記録する。
ステップ７では、ステップ５のＩＤ情報適正判定処理の判定対象となったタグ１０に対する休止指令を発生して送信し、ステップ２に戻りＩＤ情報の読取りを行う。
【００３１】
そして、上述のステップ２〜ステップ７までの動作をステップ３の判定がＹＥＳとなるまで繰り返し行い、ステップ３の判定がＹＥＳになれば、載置台２１に載置された全てのタグ１０のＩＤ情報の適否処理が終了したと判断してステップ８に進む。
【００３２】
ステップ８では、メモリ４に記憶した適正ＩＤのタグ１０に対する動作指令を発生し、ステップ７の休止指令で休止状態にある適正な各タグ１０を動作状態にする。
【００３３】
ステップ９では、動作指令を送信した適正なタグ１０に対して一斉にＬＥＤ１６，１７の点灯指令を発生し送信する。
ステップ１０では、メモリ４の記憶データに基づいて適正なタグ枚数や各タグに付加された価値情報に基づく換金額の算出処理を行いその処理結果を表示部５に表示する。尚、表示処理後に適正なタイミングで適正なタグに対してＬＥＤ１６，１７の消灯指令を発生しタグ１０側に送信して処理動作を終了する。
【００３４】
図５は、上述の非接触ＩＤタグ処理装置１の処理動作に対応したタグ１０の動作を示すフローチャートである。
載置台２１に載置されたタグ１０は、非接触ＩＤタグ処理装置１からの指令を待ち、非接触ＩＤタグ処理装置１からデータ送信要求を受信するとステップ２１の判定がＹＥＳとなり、ステップ２２でＩＤ情報を含む記録データの送信動作を実行する。その後、タグ休止指令を受信するとステップ２３の判定がＹＥＳとなり、ステップ２４で休止状態に制御する。動作指令を受信するとステップ２５の判定がＹＥＳとなり、ステップ２６で動作状態に制御し、点灯指令を受信するとステップ２７の判定がＹＥＳとなり、ステップ２８でＬＥＤ１６，１７を点灯制御する。そして、消灯指令を受信するとステップ２９の判定がＹＥＳとなり、ステップ３０でＬＥＤ１６，１７を消灯制御する。
【００３５】
かかる本実施形態の非接触ＩＤタグ処理装置１によれば、適正なＩＤ情報を有するタグ１０に対してだけＬＥＤ１６，１７の点灯指令を発生し、適正なタグ１０の発光表示部１１ａ，１１ｂだけを発光させるので、適正なタグか否かをその場で直ちに視認できる。従って、偽造タグや不正タグの使用抑制効果が向上する。また、非接触ＩＤタグ１０には対角位置の２ヶ所の角部に発光表示部１１ａ，１１ｂを設けたので、タグ１０を載置台２１に置いたときにどの方向からも発光表示部１１ａ，１１ｂのいずれか一方の発光は視認できる。このため、例えば景品交換所において客側と運営側のどちらもその場で適正なタグ１０か否かを確認でき、両者間のトラブルを防止できる。また、非接触ＩＤタグ１０において、磁性体１３Ａだけの場合は図４の（Ａ）のように載置し、磁性体１３Ｂだけの場合は図４の（Ｂ）のように載置する必要があり、タグ１０の載置状態を規制する必要があるが、本実施形態の非接触ＩＤタグ１０のように、２つの磁性体１３Ａ，１３Ｂを互いに直交するように配置したことで、図４（Ａ）と（Ｂ）のいずれの載置状態でもコイルアンテナ１２を貫通する磁束成分を十分得ることができ、載置台２１へのタグ１０の載置状態の自由度が増し実用的である。
【００３６】
次に、本発明の非接触ＩＤタグ処理装置の第２実施形態について説明する。尚、第２実施形態は、図１に示す第１実施形態とタグの処理動作が異なるだけであり、ハードウエア構成は第１実施形態と同様であるので図示を省略し、ここでは、処理動作についてのみ説明する。
【００３７】
第１実施形態は、ＩＤ情報の適否処理を全てのタグ１０に対して行った後に、一斉に適正タグ１０のＬＥＤ１６，１７を点灯制御する構成であるのに対して、第２実施形態は、ＩＤ情報の適否を判定する度に適正ＩＤに対してＬＥＤ１６，１７の点灯制御を行う構成である。
【００３８】
図６に、第２実施形態の処理動作のフローチャートを示す。
ステップ４１〜４６までは第１実施形態のステップ１〜６と同様であり、説明を省略する。
【００３９】
ステップ４６で適正なタグ１０の送信データをメモリ４に記憶した後、ステップ４７で、データを記録した適正タグ１０に対する点灯指令を発生し送信する。これにより、適正なタグ１０の発光表示部１１ａ，１１ｂが発光する。
【００４０】
ステップ４８では、ステップ４５でＩＤ情報適否判定の対象となったタグ１０、即ち、ステップ４７で点灯指令を送信した適正なタグ或いはステップ４５で適正でないと判定されて偽造又は不正使用のタグに対する休止指令を発生して送信する。
【００４１】
そして、ステップ４２〜ステップ４８までの動作をステップ４３の判定がＹＥＳとなるまで繰り返し行い、ステップ４３の判定がＹＥＳになれば、載置台２１上の全てのタグ１０のＩＤ情報適否処理が終了したと判断してステップ４９に進み、図３のステップ１０と同様にして処理結果を表示部５に表示させる。尚、表示処理後に適正なタイミングで休止状態にある適正なタグ１０に対する動作指令を発生し適正なタグ１０を動作状態とした後、ＬＥＤの消灯指令を発生しタグ１０側に送信し、適正なタグ１０のＬＥＤ１６，１７を消灯させることは言うまでもない。
【００４２】
上述の各実施形態は、操作部７がスイッチを押して処理動作開始のトリガーだけを与える構成の場合を示したが、操作部７をスイッチオンでより処理動作開始トリガーを与え、スイッチオフで処理動作終了トリガーを与える構成とすれば、タグ１０の個数が多すぎて全てのタグ１０を一度に載置台２１に載置できない場合でも全てのタグ１０を一括して処理できる利点がある。即ち、かかる操作部７の構成によれば、スイッチをオフするまでは適否処理を継続するので、タグ１０を分割し複数回に分けて載置台２１に載置し、全てのタグを載置台２１に載置し終わった時点でスイッチをオフして適否処理を終了させるようにすれば、複数回に分けて載置台２１に載置した全てのタグ１０の適否処理を一括して行うことができる。
【００４３】
また、上述の各実施形態では、アンテナ２を１つとしたが、載置台２１に収納したアンテナ２とは別に図７に示すように、載置台２１に対して垂直方向に例えばケース２２に収納して別のアンテナ（図示せず）を設ければ、図７のようにタグ１０を上下方向に積み重ねて載置台２１に載置した場合でも、タグ１０と非接触ＩＤタグ処理装置１との間で交信が可能となり、載置台２１に対するタグ１の載置状態の自由度が更に向上し、より実用的とすることができる。尚、以上の説明では、載置台２１やケース２２に１つのアンテナを収納するとしたが、これらに収納するアンテナ数は、１つに限らず複数収納するようにしてもよい。
【００４４】
本発明の非接触ＩＤタグ処理装置１は、非接触ＩＤタグ１０に対する情報の読み書きを実行するリーダライタに、読取った情報に基づいてタグ１０の処理動作を制御する制御部を一体に内蔵する構成としてもよく、また、非接触ＩＤタグ１０に対する情報の読み書きを実行するリーダライタ部分と処理動作を制御する制御部分を分離する構成としてもよい。
【００４５】
図８に、上述の非接触ＩＤタグ処理装置１で処理する本発明に係る非接触ＩＤタグの第２実施形態を示す。尚、第２実施形態は、図２に示す第１実施形態と発光表示部の構成が異なるだけであり、その他のアンテナ１２、ＩＣチップ１５、磁性体１３Ａ，１３Ｂについては第１実施形態と同様であるので図示を省略し、ここでは発光表示部の構成について示す。
【００４６】
図８において、本実施形態の非接触ＩＤタグ３０は、ケース３１内に光を透過可能な透明又は半透明の例えばアクリル棒３２を設け、該アクリル棒３２の両端をケース３１の側面に露出させて発光表示部３２ａ、３２ｂとする。アクリル棒３２の中間部を平面略三角状に切り欠き、この切り欠き部分に１つのＬＥＤ３３を配置する。これにより、ＬＥＤ３３が点灯すると、光はアクリル棒３２の両側に導かれて両端の発光表示部３２ａ、３２ｂが発光する。
【００４７】
かかる構成によれば、発光表示部３２ａ，３２ｂがケース１１の互いに対面する辺部に配置されるので、図９（Ａ）、（Ｂ）に示すように、タグ３０を載置台２１に対してどのように載置してもあらゆる方向から発光表示部３２ａ，３２ｂの発光を視認でき、適正タグの確認がその場で直ちにできる。尚、アクリル棒に代えて光ファイバを使用してＬＥＤ３３の光を導くよう構成してもよい。
【００４８】
本発明の非接触ＩＤタグの構成は、上述の各実施形態に限るものではない。
例えば、図１０に示す第３実施形態の非接触ＩＤタグ４０のように、ケースの４辺に発光表示部４１ａ〜４１ｄを設ける構成でもよく、また、図１１示す第４実施形態の非接触ＩＤタグ５０のように、ケースの側面全周に光ファイバ５１を設けて発光させる構成でもよい。即ち、本発明の非接触ＩＤタグは、少なくとも互いに対面する方向から発光表示部の発光状態が視認可能な構成であればよい。
【００４９】
また、各実施形態のタグ１０、３０，４０，５０において、コイルアンテナを貫くよう磁束を導くための磁性体１３を、図１２の破線で示すように、ケース内に斜めに配置する構成とすれば、１つの磁性体で図２（Ａ）に示す互いに直交するＸ，Ｙ方向の磁束成分を十分得ることができ、図２のように磁性体を２つ設ける必要がなく、部品点数を削減できる。
【００５０】
尚、光センサ等を利用したタグ枚数計数用の計数センサを載置台にセットするようにしてもよい。この場合、例えば計数センサの計数値と処理装置で処理した適正タグ枚数とを比較して適正タグ枚数を確認するとよい。
【００５１】
本発明の非接触ＩＤタグ及び非接触ＩＤタグ処理装置の用途は、特殊景品及びその処理に限定されるものではなく、例えばゲームセンタ等でお金の代わりに使用するコイン及びその処理等、その他のＩＤタグの使用が可能なシステムに適応できることは言うまでもない。
【００５２】
【発明の効果】
以上説明したように本発明の非接触ＩＤタグ処理装置によれば、タグのＩＤ情報に基づいてタグの適否を判定し、適正なタグの発光表示部を発光させる構成としたので、適正なタグか否かをその場で直ちに確認することができる。従って、例えばパチンコ店の特殊景品等にタグを使用した場合でも、タグの偽造や不正使用等の抑制効果だけでなく、これらに起因するトラブルの発生の抑制効果が向上する。
【００５３】
また、本発明の非接触ＩＤタグによれば、タグを挟んで互いに対面する位置側から同時に視認できるよう発光表示部を設けたので、発光表示部の視認性が向上し、適正なタグか否かを複数の方向から確実に確認することができる。また、タグ平坦面に対して互いに直交する２方向の磁束成分がアンテナを貫くよう構成したので、外部との交信時のタグ位置の自由度が向上し、実用的効果が大きい。
【図面の簡単な説明】
【図１】本発明の非接触ＩＤタグ処理装置の第１実施形態の構成を示すブロック図
【図２】本発明の非接触ＩＤタグの第１実施形態の構成図
【図３】同上第１実施形態の非接触ＩＤタグ処理装置のタグ処理動作を説明するフローチャート
【図４】載置台に対するＩＤタグの載置例を示す図
【図５】図３のタグ処理動作に対応するＩＤタグの動作を説明するフローチャート
【図６】本発明の非接触ＩＤタグ処理装置の第２実施形態によるタグ処理動作を説明するフローチャート
【図７】アンテナを２つ設ける場合のアンテナ配置状態を示す図
【図８】本発明の非接触ＩＤタグの第２実施形態の要部構成図
【図９】図８の非接触ＩＤタグの載置台に対する載置例を示す図
【図１０】本発明の非接触ＩＤタグの第３実施形態の外観図
【図１１】本発明の非接触ＩＤタグの第４実施形態の外観図
【図１２】本発明の非接触ＩＤタグの磁性体の別の配置例を示す図
【符号の説明】
１    非接触ＩＤタグ処理装置
２    アンテナ
３    送受信部
４    メモリ
５    データベース
６    表示部
７    操作部
８    制御部
１０，３０，４０，５０    非接触ＩＤタグ
１１    ケース
１１ａ，１１ｂ，３２ａ，３２ｂ，４１ａ〜４１ｄ    発光表示部
１２    コイルアンテナ
１３，１３Ａ，１３Ｂ    磁性体
１５    ＩＣチップ
１６，１７    ＬＥＤ
１８    蓋
１９    遮蔽板
３２    アクリル棒
５１    光ファイバ
【図１】
2004334431.tif 000003
【図２】
2004334431.tif 000004
【図３】
2004334431.tif 000005
【図４】
2004334431.tif 000006
【図５】
2004334431.tif 000007
【図６】
2004334431.tif 000008
【図７】
2004334431.tif 000009
【図８】
2004334431.tif 000010
【図９】
2004334431.tif 000011
【図１０】
2004334431.tif 000012
【図１１】
2004334431.tif 000013
【図１２】
2004334431.tif 000014